(57)【要約】【課題】  ライン読取周期内の遅延時間を制御して、読取周期内での露光ランプの点灯回数変更することにより、露光ランプの光量調整を行う画像読取装置を提供する。【解決手段】  図６に示すように各ラインの読取開始タイミングを規定するライン同期信号（ＴＧ−ＩＮＶ）１４２に同期させてランプを点灯させるインバータ発振回路１３４を発振させる。インバータ発振回路１３４から出力されるクロック信号に応じて点灯制御部１３５によりインバータ回路１３１を制御する。インバータ回路１３１からの出力は昇圧トランス１３２を経由してランプ１３３に印加される。なおＣＮＴ１４３はランプのＯＮ／ＯＦＦ制御信号である。【選択図】  図６
2005151048.tif 000002
【特許請求の範囲】
【請求項１】
原稿を照射する白色露光ランプと、該白色露光ランプを所定の発振周波数で点灯させるインバータ回路と、少なくとも２種以上の光スペクトル感度特性をもつ光電変換素子とを備え、前記光電変換素子の１種類の光スペクトル感度特性を用いてモノクロデータ画像を生成する画像読取装置であって、
選択された光スペクトル感度特性に基づいて、前記インバータ回路を制御することにより１ラインあたりのＣＣＤ入射光量を変更可能としたことを特徴とする画像読取装置。
【請求項２】
前記光電変換素子の光スペクトル感度特性がＲ（赤）、Ｇ（緑）、Ｂ（青）の３種類の感度特性を有し、その中から前記Ｂの感度特性が選択されてモノクロデータ画像を生成する場合、１ラインあたりの前記白色露光ランプの点灯回数を前記Ｒ及びＧの場合よりも増加させることを特徴とする請求項１に記載の画像読取装置。
【請求項３】
前記光電変換素子の光スペクトル感度特性がＲ（赤）、Ｇ（緑）、Ｂ（青）の３種類の感度特性を有し、その中から前記Ｒ又はＧの感度特性が選択されてモノクロデータ画像を生成する場合、１ラインあたりの前記白色露光ランプの点灯回数を前記Ｂの場合よりも減少させることを特徴とする請求項１に記載の画像読取装置。
【請求項４】
前記白色露光ランプの点灯回数は、ライン同期信号の発生から前記インバータの発振が開始するまでの遅延時間を調整することにより増減させることを特徴とする請求項１乃至３の何れか一項に記載の画像読取装置。
【請求項５】
前記白色露光ランプの点灯回数は、前記ライン同期信号の１周期間に発振する前記インバータの発振周波数を調整することにより増減させることを特徴とする請求項１乃至３の何れか一項に記載の画像読取装置。
【発明の詳細な説明】
【技術分野】
【０００１】
本発明は、画像読取装置に関し、さらに詳しくは、ＲＧＢの３種類の光スペクトル感度特性の１種類を用いて、モノクロデータ画像を生成する画像読取装置に関するものである。
【背景技術】
【０００２】
カラーの画像読取装置（以下、スキャナと記す）においては、光源として白色ランプを使用する。この白色ランプは蛍光材に赤、緑、青の３種蛍光体を混合し塗布している。希ガス放電によってガラス管内に生じた紫外線により各蛍光体は３ピークの波長を発光し、可視光となり白色になる。
一方、３ピークの波長のそれぞれに別々のスペクトル受光感度を持つ３ラインＣＣＤ（ＲＧＢ出力）などで光電変換される場合、３波長ピークの光は、ほぼ赤がＲ、緑がＧ、青がＢの出力に変換される（但し、３ラインＣＣＤのライン毎の受光感度は各フィルタの特性による。）。そしてＣＣＤで光電変換されたデータには、信号分とＣＣＤで発生するランダムノイズがあり、ＣＣＤへの入射光が減少すると、ノイズ成分は変わらないため、画像データのＳＮ比は悪くなり画像品質は劣化する（官能的には粗い、ざらついたイメージ）。
上記の様にＣＣＤ出力は、ランプのスペクトルとＣＣＤ感度によって決まるが、蛍光体の一般的な特性として、電圧印加して発光直後にピークを得た後は、蛍光体の残光で光を維持するが赤、緑、青の光波形はそれぞれ異なり、特に青の残光特性の時間が短い（光量が落ちやすい）ため、青波長領域の光エネルギーは少なく、ＳＮ比はＲＧよりも悪くなる。実際には、Ｂの画像データとして使用する際には増幅回路のゲイン値を高めに設定し、ＲＧとのバランスを取るがノイズ成分も増幅されるため、ＳＮの改善にはならない。
また、カラースキャナの機能として、ＲＧＢの各データの何れか１種類を用いて、モノクロデータ画像を作成する機能が有る。（一般名称でドロップアウトカラー）これは、例えばＲのデータを用いてモノクロ画像を作ると、赤い波長を多く出す原稿部分には、ＣＣＤ出力値はより高くなるので画像的には明るく（白側へ飛んだ画像）なる。このように、ＲＧＢそれぞれからモノクロ画像を作った場合、ＢのＳＮの劣化によりＲ、Ｇに比べて画像の劣化が目立つようになる。そのためにドロップアウトＢ選択時のＳＮ向上及びＲＧ選択時とのバランスを維持するために、ＲＧよりもこの時だけランプ光量を上げることが必要となる。
これらの課題を解決するために、特開平９−１７２５１９号公報には、カラー用ＣＣＤセンサを用いた画像読み取り装置において、各受光素子列の間に存在する受光感度特性の差異を減少させ、出力レベルを平均化することにより出力信号の品質を向上させる技術について開示されている。
【０００３】
また特開２０００−２５３２０７公報には、原稿画像を分解色毎に分解して読み取る場合に、全ての分解色に対して十分なＳ／Ｎ比を確保する技術について開示されている。
また特開平１１−３１２５９６号公報には、カラースキャナ等における原稿読取に際し、原稿を色むらなく白色光で照射することができる放電ランプ点灯装置を提供する技術について開示されている。
また他の従来技術として、赤、緑、青の３波長光源をそれぞれ１本ずつ計３本用意し、交互に点灯させる方法も有るが、光源レイアウトが大きくなり、部品点数、信頼性、ランプ差の影響などから必ずしも好ましい構成とはいえなかった。また、青波長の蛍光体の経時劣化は赤、緑に比べて著しく早く、そのため経時的にもＣＣＤ−Ｂへの入射光の制御が必要であった。
【特許文献１】特開平９−１７２５１９号公報
【特許文献２】特開２０００−２５３２０７公報
【特許文献３】特開平１１−３１２５９６号公報
【発明の開示】
【発明が解決しようとする課題】
【０００４】
しかしながら、特許文献１に開示されている従来技術は、感応能力の低い青色受光素子に対応した読取領域の光量をミラーにより増強する方法であり、本発明の電気的にインバータの発光パワーを増加する方法とは根本的に異なる発明である。
また特許文献２に開示されている従来技術は、光路にＮＤフィルタを置いて感度の違いによりフィルタの透過光量を読取時ごとに制御するものであり、ＮＤフィルタとそれを制御する回路が必要となりコストが高くなるといった問題がある。
また特許文献３に開示されている従来技術は、電圧の立ち上がり時点を駆動周期に基づいて定めて、各色の積算光量を一定とするものであり、本発明のようにインバータの駆動周期内の駆動パルス数を制御するものではなく、回路構成が複雑となるといった問題がある。
本発明は、かかる課題に鑑み、ライン読取周期内の遅延時間を制御して、読取周期内での露光ランプの点灯回数変更することにより、露光ランプの光量調整を行う画像読取装置を提供することを目的とする。
【課題を解決するための手段】
【０００５】
本発明はかかる課題を解決するために、請求項１は、原稿を照射する白色露光ランプと、該白色露光ランプを所定の発振周波数で点灯させるインバータ回路と、少なくとも２種以上の光スペクトル感度特性をもつ光電変換素子とを備え、前記光電変換素子の１種類の光スペクトル感度特性を用いてモノクロデータ画像を生成する画像読取装置であって、選択された光スペクトル感度特性に基づいて、前記インバータ回路を制御することにより１ラインあたりのＣＣＤ入射光量を変更可能としたことを特徴とする。
光電変換素子にＣＣＤを用いた場合、ＣＣＤで光電変換されたデータには、信号分とＣＣＤで発生するランダムノイズがあり、ＣＣＤへの入射光が減少するとノイズ成分は変わらないため、画像データのＳＮ比は悪くなり画像品質は劣化する。例えば、カラースキャナの機能として、ＲＧＢの各データの何れか１種類を用いて、モノクロデータ画像を作成するドロップアウトカラーでは、Ｒのデータを用いてモノクロ画像を作ると、赤い波長を多く出す原稿部分には、ＣＣＤ出力値はより高くなるので画像的には明るく（白側へ飛んだ画像）なる。このようにＲＧＢの各色ごとに感度特性が異なる。そこで本発明では、光源の光量を各色ごとに調整できるようにして、色の感度バランスを補正するものである。
かかる発明によれば、選択された光スペクトル感度特性に基づいて、インバータ回路を制御することにより、１ラインあたりのＣＣＤ入射光量を変更するので、各色の感度バランスを補正することができる。
請求項２は、前記光電変換素子の光スペクトル感度特性がＲ（赤）、Ｇ（緑）、Ｂ（青）の３種類の感度特性を有し、その中から前記Ｂの感度特性が選択されてモノクロデータ画像を生成する場合、１ラインあたりの前記白色露光ランプの点灯回数を前記Ｒ及びＧの場合よりも増加させることを特徴とする。
ＲＧＢそれぞれからモノクロ画像を作った場合、ＢのＳＮの劣化によりＲ、Ｇに比べて画像の劣化が目立つようになる。そのためにドロップアウトＢ選択時のＳＮ向上及びＲＧ選択時とのバランスを維持するために、ＲＧよりもこの時だけランプ光量を上げることが必要となる。そこで本発明では、インバータの１ラインあたりの点灯回数を増加させることにより、ランプ光量を上げるものである。
かかる発明によれば、Ｂの感度特性が選択されてモノクロデータ画像を生成する場合、１ラインあたりの白色露光ランプの点灯回数を前記Ｒ及びＧの場合よりも増加させるので、簡単な方法で露光ランプの光量を増やし、他の色との光量バランスを維持することができる。
【０００６】
請求項３は、前記光電変換素子の光スペクトル感度特性がＲ（赤）、Ｇ（緑）、Ｂ（青）の３種類の感度特性を有し、その中から前記Ｒ又はＧの感度特性が選択されてモノクロデータ画像を生成する場合、１ラインあたりの前記白色露光ランプの点灯回数を前記Ｂの場合よりも減少させることを特徴とする。
ＢとＲ、Ｇの光量バランスを相対的に揃える方法は、請求項２とは逆に、Ｒ、Ｇの光量を減少させる方法もある。しかし、この方法はノイズレベルが一定の場合は、Ｓ／Ｎ比が低下する虞がある。
かかる発明によれば、Ｒ又はＧの感度特性が選択されてモノクロデータ画像を生成する場合、１ラインあたりの白色露光ランプの点灯回数をＢの場合よりも減少させるので、簡単な方法で他の色との光量バランスを維持することができる。
請求項４は、前記白色露光ランプの点灯回数は、ライン同期信号の発生から前記インバータの発振が開始するまでの遅延時間を調整することにより増減させることを特徴とする。
インバータの発振周波数が一定の場合、ライン同期信号の１周期間に点灯する回数は、ライン同期信号の発生からインバータの発振が開始するまでの遅延時間により決定される。そこで本発明では、この遅延時間を調整することにより、点灯回数を増減させるものである。即ち、遅延時間を短くすれば点灯回数が増加し、遅延時間を長くすれば点灯回数を減少させることができる。
かかる発明によれば、白色露光ランプの点灯回数は、ライン同期信号の発生からインバータの発振が開始するまでの遅延時間を調整することにより増減させるので、インバータの発振周波数を最適値に一定としてランプの光量を増減することができる。
請求項５は、前記白色露光ランプの点灯回数は、前記ライン同期信号の１周期間に発振する前記インバータの発振周波数を調整することにより増減させることを特徴とする。
遅延時間を調整不可能な場合は、ライン同期信号の１周期間の発振周波数を外部から変更してもランプ光量を増減することは可能である。但し、この場合はインバータの上限の周波数以下である必要がある。
かかる発明によれば、白色露光ランプの点灯回数は、ライン同期信号の１周期間に発振するインバータの発振周波数を調整することにより増減させるので、外部から所定の範囲内で周波数を可変にしてランプ光量を増減することができる。
【発明の効果】
【０００７】
以上記載のごとく請求項１の発明によれば、選択された光スペクトル感度特性に基づいて、インバータ回路を制御することにより、１ラインあたりのＣＣＤ入射光量を変更するので、各色の感度バランスを補正することができる。
また請求項２では、Ｂの感度特性が選択されてモノクロデータ画像を生成する場合、１ラインあたりの白色露光ランプの点灯回数を前記Ｒ及びＧの場合よりも増加させるので、簡単な方法で露光ランプの光量を増やし、他の色との光量バランスを維持することができる。
また請求項３では、Ｒ又はＧの感度特性が選択されてモノクロデータ画像を生成する場合、１ラインあたりの白色露光ランプの点灯回数をＢの場合よりも減少させるので、簡単な方法で他の色との光量バランスを維持することができる。
また請求項４では、白色露光ランプの点灯回数は、ライン同期信号の発生からインバータの発振が開始するまでの遅延時間を調整することにより増減させるので、インバータの発振周波数を最適値に一定としてランプの光量を増減することができる。
また請求項５では、白色露光ランプの点灯回数は、ライン同期信号の１周期間に発振するインバータの発振周波数を調整することにより増減させるので、外部から所定の範囲内で周波数を可変にしてランプ光量を増減することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のカラー画像読取装置の一実施形態を示す全体構成図である。図１に基づいて各部の機能について説明する。まず、スキャナ本体に関して説明すると、原稿台ガラス８上に置かれた原稿は、第１ミラー３とランプ２により照射される。ここで、第１ミラー３とランプ２は第１キャリッジ３１に搭載されており、原稿台下部を移動しながら走査を行う。そして、原稿からの反射光は、第１ミラー３及び第２キャリッジ３２上の第２ミラー５、第３ミラー４で走査され、レンズ１により集束され、ＣＣＤが搭載されたＳＢＵ１０に照射されることにより電気信号に光電変換される。また、前記第１ミラー３、ランプ２及び第２ミラー５、第３ミラー４をそれぞれ搭載する第１および２キャリッジ３１、３２は、走行体モータ９を駆動源として、キャリッジホーム位置から最大走査領域方向（図左右方向）に移動可能となっている。
次に、ＡＲＤＦ（自動両面原稿搬送装置）部に関して説明すると、原稿台１１の原稿ガイド１２に沿って積載された原稿は、片面原稿読み取りを選択した場合には呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿が排出される。ＤＦ用原稿ガラス前にはレジストセンサー１９が配置されており、読取部への紙の進入（先端）や後端部のタイミングを検知できる。一方、両面原稿読み取りを選択した場合には、まず原稿の表面の読み取りを前記片面原稿読み取りを選択した場合と同様に実施する。
【０００９】
原稿の表面の読み取りに関して説明を行う。呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて一旦、反転ローラが停止する。
次に、原稿の裏面の読み取り関して説明すると、原稿の裏面の読み取りを実施するためには、一旦、停止していた反転ローラ２５を前記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読取位置を経て、第２搬送ローラ２１及び排紙ローラ２３へ送り込まれ、その後、原稿が排出される。原稿は、表面、裏面の読み取りと共にＤＦ用原稿ガラス６と反射ガイド板２０との間の読取位置を通過する際に、読取位置の近傍に停止されているランプ２により照射され、その反射光は、第１ミラー３及び一体に構成された第２ミラー５、第３ミラー４で走査される。以下原稿台の場合と同様に光電変換される。
尚、ＡＲＤＦの呼び出しコロ１４、給紙ベルト１６、搬送コロ１５、分離コロ１７の給紙機構は給紙モータ（図示せず）により駆動されている。また、第１搬送ローラ１８、第２搬送ローラ２１、排紙ローラ２３、反転ローラ２５の搬送機構は搬送モータ（図示せず）により駆動されている。
さらに、ＡＲＤＦには原稿を検知するために原稿台１１へ原稿がセットされているか否かを検知するセットセンサ１３、原稿サイズを検知するための幅サイズ検知センサ２８、第１の原稿長さセンサ２９と第２の原稿長さセンサ３０、原稿の後端を検知するための原稿後端センサ２７が搭載されている。スキャナ本体にはスキャナ本体及びＡＲＤＦを含めたカラー画像読取装置の動作制御をおこなうＳＣＵ７が搭載されている。
【００１０】
図２は、本発明に係る画像読取装置の全体ブロック図である。図３は、本発明に係る画像読取装置の画像データフローである。図２と図３により画像データの流れを説明する。ＳＢＵ１０上のカラーＣＣＤに入光した原稿の反射光は、カラーＣＣＤ内で光の強度に応じた電圧値を持つＲＧＢ各色のアナログ信号に変換される。ＲＧＢ各色のアナログ信号は、奇数ビットと偶数ビットに分かれて出力される。上記ＳＢＵ１０のアナログ画像信号は、ＶＩＯＢ３１上でアナログ処理回路３２で暗電位部分が取り除かれ、奇数ビットと偶数ビットが合成され、所定の振幅にゲイン調整された後にＡ／Ｄコンバータ３３に入力されデジタル信号化される。
デジタル化された画像信号は、シェーディングＡＳＩＣ３４によりシェーディング補正されＶＩＯＢ３１からＳＣＵ７を経てＳＣＵ上のＲＩＰＵ３５によりガンマ補正、ＭＴＦ補正等の画像処理が行なわれた後、同期信号、画像クロックとともにビデオ信号として出力される。ＲＩＰＵ３５から出力されたビデオ信号は、ＯＩＰＵ３６へ出力されている。ＯＩＰＵ３６へ出力されたビデオ信号は、ＯＩＰＵ３６内で所定の画像処理が行なわれ、再びＳＣＵ７へ入力される。再びＳＣＵ７へ入力されたビデオ信号は、ＶＩＤＥＯ入力切り換え回路３７に入力される。ＶＩＤＥＯ入力切り換え回路３７のもう一方の入力はＲＩＰＵ３５から出力されたビデオ信号となっていて、ＯＩＰＵ３６で画像処理するか否かを選択できる構成となっている。
前記ＶＩＤＥＯ入力切り換え回路３７から出力されたビデオ信号は、画像データ記憶手段（ＳＤＲＡＭ）を管理するＳＩＢＣ２、３８に入力され、ＳＤＲＡＭで構成される画像メモリに蓄えられる。画像メモリに蓄えられた画像データは、ＳＣＳＩコントローラ３９に送られ、パソコンやプリンタ等の外部装置へ転送される。
【００１１】
またＳＣＵ７上には、ＣＰＵ（図示せず）、ＲＯＭ（図示せず）、ＲＡＭ（図示せず）が実装されており、ＣＰＵ（図示せず）は、ＳＣＳＩコントローラ３９を制御してＳＣＳＩＩ／Ｆによりパソコン等の外部装置との通信を行なう。更に、ＣＰＵ（図示せず）は、前記ＶＩＤＥＯ入力切り換え回路３７から出力されたビデオ信号をＩＥＥＥ１３９４コントローラ：ＩＳＩＣ４０を介してＩＥＥＥ１３９４  Ｉ／Ｆ、ネットワークスキャナコントローラ：ＮＩＣ４１を介してネットワークＩ／Ｆによりパソコンやプリンタ等の外部装置との通信を行なう。又、ＣＰＵ（図示せず）は、スキャナ本体のステッピングモータであるスキャナモータ９、ＡＲＤＦの給紙モータ（図示せず）、搬送モータ（図示せず）のタイミング制御も行なっている。
ＡＤＵ４２は、ＡＲＤＦ部に用いる電装部品の電力供給を中継する機能を有している。ＳＣＵ７上のＣＰＵ（図示せず）に接続されている入力ポートは、ＶＩＯＢ３１を介して本体操作パネル：ＳＯＰ４３に接続されている。また本体操作パネル：ＳＯＰ４３上にはスタートスイッチ（図示せず）とアボートスイッチ（図示せず）が実装されている。それぞれのスイッチが押下されると入力ポートを介してＣＰＵ（図示せず）はスイッチがＯＮされたことを検出する。ＣＰＵは走行体を移動するためのモータ制御も行う。
【００１２】
図４はＳＢＵ１０とＶＩＯＢ３１を更に詳しく表すブロック図である。ＳＢＵ１０上のカラーＣＣＤ１０ａにより奇数ビット、偶数ビット毎に光電変換されたアナログビデオ信号は、ＳＢＵ１０上のバッファ１０ｂを介しＶＩＯＢ３１に入力される。奇数ビット、偶数ビット毎のアナログビデオ信号は、ＶＩＯＢ３１上のアナログ処理回路３２ａ〜３２ｃに入力される。アナログ処理回路３２ａ〜３２ｃに入力された信号は奇数ビット、偶数ビット毎に出力レベルを細かく可変できるゲインアンプ（図示せず）を介し、偶数、奇数合成されアナログビデオ信号として出力される。ゲインアンプのゲインコントロール端子にはＤ／Ａコンバータ４４が２チャンネル接続されており、Ｄ／Ａコンバータ４４の出力電圧をアナログ的に可変することで、出力のアナログビデオ信号に対するゲインを偶数、奇数毎に可変することができる。Ｄ／Ａコンバータ４４の出力電圧の設定はＳＣＵ７上のＣＰＵが行う。Ｄ／Ａコンバータ４４は基準電圧５Ｖ、ビット数８ビットであるため、出力電圧は０〜５Ｖまで２５５段階にＣＰＵが設定できる。ＣＰＵの設定は０〜２５５のデジタル（整数）である。
またアナログ処理回路３２ａ〜３２ｃから偶数、奇数を合成し出力されたアナログビデオ信号は、Ａ／Ｄコンバータ３３ａ〜３３ｃに入力される。Ａ／Ｄコンバータ３３ａ〜３３ｃは、このアナログビデオ信号を８ビットのデジタルビデオ信号に変換する。Ａ／Ｄコンバータ３３ａ〜３３ｃのリファレンス設定端子には、前記と同様にＤ／Ａコンバータ４４が接続されており、Ｄ／Ａコンバータ４４の出力電圧をアナログ的に可変することでＡ／Ｄコンバータ３３ａ〜３３ｃのデジタル出力値を可変することができる。
図５は赤、緑、青の光波形を示す図であり、図５（ａ）は青色の光波形を表し、図５（ｂ）は赤、緑の光波形を表す。縦軸は光強度、横軸は時間を表す。各色の山は発光毎にピークａ点、ｃ点に達するが、前述のように図５（ａ）の青の残光強度の落ちが早く次の発光までにかなり減衰する（ｂ点）。一方、図５（ｂ）の赤、緑は残光強度の減衰が次の発光まで少なく、光を保持できている（ｄ点）。
【００１３】
図６は本発明の第１の実施形態のランプ電圧印加回路ブロック図である。図６に示すように各ラインの読取開始タイミングを規定するライン同期信号（ＴＧ−ＩＮＶ）１４２に同期させてランプを点灯させるインバータの発振回路１３４を発振させる。インバータの発振回路１３４から出力されるクロック信号に応じて点灯制御部１３５によりインバータ回路１３１を制御する。インバータ回路１３１からの出力は昇圧トランス１３２を経由してランプ１３３に印加される。なおＣＮＴ１４３はランプのＯＮ／ＯＦＦ制御信号である。
図７は本発明の制御信号のタイミングチャートである。図７はランプＯＮ／ＯＦＦ信号（ＣＮＴ）とライン同期信号（ＴＧ−ＩＮＶ）のタイミングを示したものでＣＮＴとは別に点灯周波数の位相同期をとる目的でＴＧ−ＩＮＶを供給する。なおＣＮＴ信号をＴＧ−ＩＮＶ信号は非同期で供給し、ＣＮＴ信号のＯＮ、ＯＦＦは任意の時間とする。ライン周期を２８０μｓｅｃとしている。
【００１４】
図８はＴＧ−ＩＮＶとインバータ出力（光波形）のタイミングを示したもので、ＴＧ−ＩＮＶのＨｉｇｈ期間（３３μｓｅｃ）は光波形として出力されない。ランプ点灯周期は１４．９μｓｅｃであり、ＯＮ−Ｄｕｔｙは２０．１％（３．０μｓ／１４．９μｓ）固定としている（ｔ＝０とする）。ＴＧ−ＩＮＶがＬｏｗになってからＦＥＴがＯＮするまでの遅延時間は２３．５μｓとして示したものである。一定の周波数（６７ＫＨｚ）で点灯しているランプ回路に対しこのＴＧ−ＩＮＶのＨ期間を短くする事で点灯回数は増加させることができる。この例をとるとＢを選択した場合、１光波形分（１４．９μｓ）以上短くする事で、１発光増加させる事ができ、ライン周期がほぼ光電蓄積時間なるため、５回→１６回となり、６．７％の光増加可能である。一方、逆に図７をＢの状態として、今度はＲＧ時の遅延時間を伸ばすことで、ＲもしくはＧ選択時の光量を落とすことも可能で有り、ＲＧＢのバランスを取る事が可能である。
ＴＧ−ＩＮＶの生成方法であるが、前述のＳＣＵ上のＣＰＵにて行う。ＣＰＵにはＣＰＵ基準ＣＬＫ（ＥＸ．２０ＭＨｚ：５０ｎｓ周期）を分周し、外部への出力信号を発生するなどタイマー機能が設けられ、同スキャナーの駆動モータの駆動ＣＬＫも生成される。
ＴＧ−ＩＮＶ信号は標準設定の３３μｓｅｃ（６６０ＣＬＫ分）のＨ区間を持った信号を生成する。設定は１ＣＬＫ毎可能としても良いが、そこまでの分解能が不要であれば分周回路の簡素化のため４ＣＬＫ毎（２００ｎｓ）の設定としても良い。Ｂを選択した場合、１光波形分（１４．９μｓ）分Ｈ区間を短くする場合、ディフォルト６６０ＣＬＫ−減少分２９８ＣＬＫ＝３６２ＣＬＫのＨ区間を持った信号を生成し出力する。発振部１３４はランプを点灯させる周波数を生成しているブロックであるが、ここにＴＧ−ＩＮＶがＨの時発振が停止する機能を持つ。
例えば点灯周波数ＣＬＫとＴＧ−ＩＮＶ（Ｌでランプ発振ＣＬＫ  ＯＮ）の反転論理とＡＮＤをとると本考案のランプ点灯信号は生成できる。更にこれらの信号とは非同期のＣＮＴ信号の反転論理（ＬでランプＯＮ）と点灯制御部分１３５でＡＮＤをとりトランスを直接駆動するＦＥＴを持つインバータ１３１へＦＥＴスイッチング信号として入力され、トランスを発振駆動しランプを点灯させる。上記のようにＣＬＫ設定によるＴＧ−ＩＮＶのＨ期間は細かく設定可能であり、１光波形よりも短い端数分の調整制御する事も可能である。
【００１５】
図９は本発明の第２の実施形態のランプ電圧印加回路ブロック図である。各ラインの読取開始タイミングを規定するライン同期信号（ＴＧ−ＩＮＶ）を点灯制御部１５４の内部で発生し、この信号に同期させてランプを点灯させるインバータの発振を外部からＣＬＫ１６２として点灯制御部１５４に供給する。このＣＬＫ１６２に応じて点灯制御部１５４によりインバータ回路１５１を制御する。インバータ回路１５１からの出力は昇圧トランス１５２を経由してランプ１５３に印加される。なおＣＮＴ１６３はランプのＯＮ／ＯＦＦ制御信号である。このように発振周波数を外部から変更することでもランプの光量を増減することができる。
図１０はＴＧ−ＩＮＶとＣＬＫのタイミングを示した図である。この図ではＴＧ−ＩＮＶの周期２３８．０μｓの間に、ランプの点灯回数を１６になるようにして光量を増加した例を示す。そのときのＣＬＫ１６２の周期は１３．０μｓとなる。このように発振周波数の供給を外部からＣＬＫ１６２として行うことにより、発振周波数の精度向上、発熱による周波数変動の低減、発振周波数の任意可変、発振・同期回路の削減などを実現できる。
【図面の簡単な説明】
【００１６】
【図１】本発明のカラー画像読取装置の一実施形態を示す全体構成図である。
【図２】本発明の係る画像読取装置の全体ブロック図である。
【図３】本発明の画像読取装置の画像データフロー図である。
【図４】本発明のＳＢＵ１０とＶＩＯＢ３１を更に詳しく表すブロック図である。
【図５】本発明の赤、緑、青の光波形を示す図である。
【図６】本発明の第１の実施形態のランプ電圧印加回路ブロック図である。
【図７】本発明の制御信号のタイミングチャートである。
【図８】本発明の制御信号のタイミングチャートである。
【図９】本発明の第２の実施形態のランプ電圧印加回路ブロック図である。
【図１０】本発明のＴＧ−ＩＮＶとＣＬＫのタイミングを示した図である。
【符号の説明】
【００１７】
１３０  定電圧電源、１３１  インバータ回路、１３２  昇圧トランス、１３３  ランプ、１３４  インバータ発振回路、１３５  点灯制御部
【図１】
2005151048.tif 000003
【図２】
2005151048.tif 000004
【図３】
2005151048.tif 000005
【図４】
2005151048.tif 000006
【図５】
2005151048.tif 000007
【図６】
2005151048.tif 000008
【図７】
2005151048.tif 000009
【図８】
2005151048.tif 000010
【図９】
2005151048.tif 000011
【図１０】
2005151048.tif 000012